(57)【要約】  【課題】本発明は、ＮａＤＣＣ（Sodium Dichloro Iso Cyanurate）を用いた船舶平衡水の処理装置を提供する。  【解決手段】淡水が流入及び排出されるように流入部及び排出部を備え、前記流入部及び前記排出部にそれぞれ流入バルブ及び排出バルブが設置されＮａＤＣＣが内蔵されているカートリッジと前記カートリッジの排出部と接続されて前記ＮａＤＣＣを攪拌させる攪拌機を備えた溶解タンクを含む構成されることにより、粉末状のＮａＤＣＣを安全かつ容易に扱えるようにする効果がある。【選択図】図２
2016221510.tif 000002
【特許請求の範囲】
【請求項１】
淡水が流入及び排出されるように流入部及び排出部を備え、前記流入部及び前記排出部にそれぞれ流入バルブと排出バルブが設置され、
ＮａＤＣＣ(Sodium Dichloro Iso Cyanurate)が内蔵されるカートリッジと、
前記カートリッジの排出部と接続され前記ＮａＤＣＣを攪拌させる攪拌機を備えた溶解タンクを含む、ＮａＤＣＣを用いた船舶平衡水の処理装置。
【請求項２】
前記カートリッジは、
複数個を並列に接続するように構成される、ＮａＤＣＣを用いた、請求項１に記載の船舶平衡水の処理装置。
【請求項３】
前記カートリッジは、
前記内蔵されたＮａＤＣＣの使用有無を把握するように側面部に透明窓を含む、ＮａＤＣＣを用いた、請求項１に記載の船舶平衡水の処理装置。
【請求項４】
前記カートリッジと前記溶解タンクは、
前記ＮａＤＣＣの溶解度が４％または８％または１２％になるように、容量がそれぞれ決定される、ＮａＤＣＣを用いた、請求項１に記載の船舶平衡水の処理装置。
【請求項５】
前記溶解タンクには、
溶解された前記ＮａＤＣＣの伝導度を測定するように伝導度センサが設置される、ＮａＤＣＣを用いた、請求項１に記載の船舶平衡水の処理装置。
【請求項６】
前記流入バルブ及び前記排出バルブは、手動バルブ（Manual Valve）である、 ＮａＤＣＣを用いた、請求項１に記載の船舶平衡水の処理装置。
【請求項７】
前記流入バルブの流入側には自動流入バルブが設置され、前記排出バルブの排出側には自動排出バルブが設置されるＮａＤＣＣを用いた、請求項６に記載の船舶平衡水の処理装置。
【請求項８】
前記溶解タンクには、
外側に冷却部が設けられる、ＮａＤＣＣを用いた、請求項１乃至請求項７の内、何れか一項に記載の船舶平衡水の処理装置。
【請求項９】
前記船舶平衡水の処理装置は、
前記溶解タンクには水位を測定するレベルセンサが設置され、前記レベルセンサから転送された水位信号に応じて前記自動流入バルブおよび前記自動排出バルブを開放または閉鎖させる制御部をさらに含む、ＮａＤＣＣを用いた、請求項７に記載の船舶平衡水の処理装置。
【発明の詳細な説明】
【技術分野】
【０００１】
本発明は、二塩化イソシアヌル酸ナトリウム（ＮａＤＣＣ：Sodium Dichloro Iso Cyanurate：以下ＮａＤＣＣと称する）を用いた船舶平衡水の処理装置に関し、さらに詳細には、粉末状（Granule type）のＮａＤＣＣを安全に扱えるようにするＮａＤＣＣを用いた船舶平衡水の処理装置に関する。
【背景技術】
【０００２】
一般的に、海上で運送する貨物船は、類似な貨物の相互交換のために往復航海する船舶を除外しては、ほとんどの場合片道運航をする。そして、片道運航を満載状態で航海した後、帰還航海の時には、船舶のバランス、安全性及び操縦性能向上等のために船舶平衡水（ballast water）を船内に流入して平衡状態で航海をすることになる。
【０００３】
この時、船舶平衡水は、一港から満たされ、他の場所に移送され、そこで新しい港内に排出される。このように、遠い位置から運ばれてきた船舶平衡水に含まれている海洋生物と病院菌の放出は、新しい環境に有害であるだけでなく、新たな港でおいても人と動物の全てに危険することがある。
【０００４】
非天然の海洋生物を新規生態系に導入させると、新規の種についての自然な防御システムを持っていない可能性がある天然の植物群と動物群に壊滅的な影響を及ぼすことがある。
【０００５】
また、コレラのような有害な細菌性の病院菌が元の港に存在することがある。このような病院菌は、時間の経過とともに船舶平衡水タンク内で増殖され、これらが放出される領域で、病気を発生させることがある。
【０００６】
このような海洋生物及び病院菌によって提起されるリスクは船舶平衡水内に存在する前記した種を致死させて調節することができる。
【０００７】
生物を死滅させる方法は、海水を電気分解して発生される次亜塩素酸ナトリウムを用いて、船舶平衡水を処理する電気分解法が広く使用される。
【０００８】
ところが、前述した電気分解方式を用いた船舶平衡水処理は、海水中に含まれているＮａＣｌをＮａＣｌＯに変換しなければならないので、海水地域では使用が容易であるが、船が川のような淡水地域（特に、塩分濃度が０．５ｐｓｕ以下の地域）を運航する場合には、電気分解の方法が使用できないという欠点があった。
【０００９】
別の方法として、淡水地域でも船舶平衡水処理効率を維持するために、電気分解法以外に、殺菌剤のような薬品注入を介して船舶平衡水を死滅させる処理方法がある。
【００１０】
このような殺菌剤中にＮａＤＣＣは、安価であり強力な殺菌力があり、殺菌処理に多く使用される。
【００１１】
しかし、ＮａＤＣＣは目への刺激が激しく、呼吸すると有毒であり、飲み込むと有害であるので、非常に慎重に扱うべきである。
【００１２】
水溶液の形態のＮａＤＣＣは体積が大きく、温度に応じて、品質が低下（Degradation）するので、適切な保管のためには使用できるところが制限され、大容量の処理が難しい欠点がある。
【００１３】
粉状（Granule Type）ＮａＤＣＣは粉塵が飛散しやすいため、取り扱い上の難しさがある。したがって、粉状ＮａＤＣＣを補充するときは、安全装置を備えて専門人材が実行しなければならないので、作業時間が長くなる。
【００１４】
また、ＮａＤＣＣ粉塵が飛散しやすいため、別の換気装置が必要になり、システム全体が複雑化して大きくなる問題点が発生する。
【先行技術文献】
【特許文献】
【００１５】
【特許文献１】韓国公開特許公報第１０−１４７２５２８号
【発明の概要】
【発明が解決しようとする課題】
【００１６】
本発明は、前記のような問題点を解決するために案出されたものであり、本発明の目的は、特に粉状のＮａＤＣＣを容易に取り扱うことができるＮａＤＣＣを用いた船舶平衡水の処理装置を提供することにある。
【課題を解決するための手段】
【００１７】
前記目的を達成するために案出された本発明の一実施の形態に係るＮａＤＣＣを用いた船舶平衡水の処理装置は淡水が流入及び排出されるように流入部及び排出部を備え、前記流入部と前記排出部にそれぞれ流入バルブ（弁）と排出バルブが設置され、ＮａＤＣＣが内蔵されるカートリッジと、前記カートリッジの排出部と接続されて前記ＮａＤＣＣを攪拌させる攪拌機を備えた溶解タンクを含む。
【００１８】
ここで、カートリッジは、複数個を並列に接続するように構成することができる。
【００１９】
また、カートリッジは、内蔵されたＮａＤＣＣの使用有無を把握するように側面部に透明窓を含むこともできる。
【００２０】
また、カートリッジと溶解タンクは、ＮａＤＣＣの溶解度が４％または８％または１２％になるように、容量をそれぞれ決定できる。
【００２１】
また、溶解タンクには、溶解されたＮａＤＣＣの伝導度を測定するように伝導度センサを設置でき、外側に冷却部を設置することもできる。
【００２２】
一方、流入バルブ及び排出バルブは、手動バルブ（Manual Valve）で有り得、 流入バルブの流入側には自動流入バルブが設置され、前記排出バルブの排出側には自動排出バルブが設置されることもある。
【００２３】
また、前記船舶平衡水の処理装置は、前記溶解タンクには水位を測定するレベルセンサが設置され、前記レベルセンサから伝達された水位信号に応じて前記自動流入バルブおよび前記自動排出バルブを開放または閉鎖させる制御部をさらに含むこともある。
【発明の効果】
【００２４】
本発明に係れば、粉状のＮａＤＣＣをカートリッジ内に内蔵させることでＮａＤＣＣが飛散されず、安全に供給されるという効果がある。
【００２５】
また、本発明に係れば、粉状のＮａＤＣＣを内蔵した複数のカートリッジを並列に装着することで、大量のＮａＤＣＣを供給できるという効果がある。
【００２６】
また、本発明に係れば、粉状のＮａＤＣＣを内蔵したカートリッジの流入側と排出側に開閉バルブを設置することにより、内蔵されたＮａＤＣＣの外部漏れを防止して、別の換気装置などを不要にするという効果がある。
【００２７】
また、本発明に係れば、ＮａＤＣＣを内蔵したカートリッジの流入側と排出側に自動バルブを設置することにより、所望する量のＮａＤＣＣを溶解タンクに供給できるという効果がある。
【００２８】
また、本発明に係れば、ＮａＤＣＣを内蔵したカートリッジの側面部に透明窓を含むことにより、内蔵されたＮａＤＣＣの使用有無を把握できるという効果がある。
【図面の簡単な説明】
【００２９】
【図１】本発明の一実施の形態に係るＮａＤＣＣを用いた船舶平衡水の処理装置の構成図である。
【図２】本発明の一実施の形態に係るＮａＤＣＣを用いた船舶平衡水の処理装置に備えられたＮａＤＣＣの注入装置を示す図である。
【発明を実施するための形態】
【００３０】
以下では、添付した図面を参考にして、本発明の好ましい実施の形態を詳細に説明する。
【００３１】
まず、各図面の構成要素に参照符号を付加することにおいて、同一の構成要素については、たとえ他の図面上に表示されても、可能な限り同一の符号を有すようにしていることに留意しなければならない。また、本発明を説明するにあたり、関連した公知の構成または機能に対する具体的な説明が本発明の要旨を曖昧にし得ると判断される場合には、その詳細な説明は省略する。
【００３２】
また、以下で、本発明の好適な実施の形態を説明するが、本発明の技術的思想は、これに限定されず、また制限されず、当業者によって変形されて多様に実施できることはもちろんである。
【００３３】
図１は、本発明の一実施の形態に係るＮａＤＣＣを用いた船舶平衡水の処理装置の構成図であり、図２は、本発明の一実施の形態に係るＮａＤＣＣを用いた船舶平衡水の処理装置に備えられたＮａＤＣＣ注入装置を示したものである。
【００３４】
図１を参照すると、本発明の実施の形態に係るＮａＤＣＣを用いた船舶平衡水の処理装置は、船舶の船舶平衡水のメイン配管１０に沿って船舶平衡水タンク１２０に流入される船舶平衡水に酸化剤水溶液を注入して船舶平衡水を処理する装置である。使用される酸化剤は、ＮａＤＣＣを水に溶解させ生成される次亜塩素酸（ＨＣｌＯ）であり、これを用いて、船舶平衡水を殺菌処理する。
【００３５】
具体的には、本発明に係るＮａＤＣＣを用いた船舶平衡水の処理装置は、メイン配管１０、吸引ポンプ１３、総残留酸化剤（Total Residual Oxidant、以下「ＴＲＯ」と称する）センサ１７、淡水供給配管２０、ＮａＤＣＣが内蔵されるカートリッジ６０及び溶解タンク９１を含みから構成される。
【００３６】
吸引ポンプ１３は、船舶平衡水タンク１２０に船舶平衡水を貯蔵するように、メイン配管１０を介して船舶平衡水を船舶平衡水タンク１２０に流入させるポンプである。
【００３７】
本発明の一実施の形態に係る船舶平衡水の処理装置は、前記吸引ポンプ１３の前端側に流入する船舶平衡水に含まれた異物やサイズが大きい微生物をろ過するためにフィルタ１１が設置される。必要に応じては、前記フィルタ１１は、省略することもできる。
【００３８】
流量計１４は、吸引ポンプ１３から流入した海水の流量を測定するために、吸引ポンプ１３の排出側に設置される。
【００３９】
ＴＲＯセンサ１７は、酸化剤が投入された後の船舶平衡水のＴＲＯ濃度を測定するように酸化剤投入配管４０が船舶平衡水メイン配管１０と合流した後のメイン配管１０上に設置される。
【００４０】
淡水供給配管２０は、淡水がＮａＤＣＣカートリッジ（６０、８０）に流入するように、淡水供給部（図示せず）とＮａＤＣＣカートリッジ（６０、８０）とを接続させるように設置される。
【００４１】
ＮａＤＣＣカートリッジ６０には、粉末状のＮａＤＣＣが内蔵されており、図２に示すように、淡水が流入してＮａＤＣＣと混合された後排出されるように、淡水供給配管２０と結合される流入継手（fitting）部６１と、溶解タンクの接続配管３０と接続される排出継手部６７が形成される。
【００４２】
前記ＮａＤＣＣカートリッジ６０は、円筒形の本体６４と、前記本体６４に淡水の流入を案内するように本体６４の上部側面に形成される流入部６３と、淡水とＮａＤＣＣが混合された水溶液が排出されるように本体６４の下端に漏斗形で形成される排出部６５を備えている。
【００４３】
ここで、前記ＮａＤＣＣカートリッジ６０は、ＮａＤＣＣ粉末を注入できる別の注入口を設けることもできるが、前記流入部６３を介してＮａＤＣＣ粉末を注入することもできる。
【００４４】
ＮａＤＣＣカートリッジ６０は、別途保管されており、また、装着の際の移動中に、内蔵されたＮａＤＣＣが外部に漏れないように閉鎖され、船舶平衡水の処理装置におけるカートリッジ装着部に装着された後は、淡水を流入しＮａＤＣＣ水溶液を排出するように開放される流入バルブ６２と排出バルブ６６が設置される。
【００４５】
前記ＮａＤＣＣカートリッジ６０は、内蔵された粉末状のＮａＤＣＣがどの程度使用されたか把握し、交替時期を分かるよう本体６４の側面部に透明窓６８を備えることができる。このとき、前記透明窓６８には、貯蔵された容量や使用された容量を測定することができるように目盛りが付される。ＮａＤＣＣカートリッジ６０を交替するときは、カートリッジ６０にＮａＤＣＣが残っていても粉末の状態ではなく、練りの状態であるため、粉塵がないため、別途の保護具が必要なくなる。
【００４６】
本発明の一実施の形態に係るＮａＤＣＣを用いた船舶平衡水の処理装置は、図１に示すように、酸化剤を大量に供給できるように、複数個を並列に接続して設置することができる。図では、２つのカートリッジ（６０、８０）が並列に設置されているが、さらに大量の酸化剤が必要な場合には、カートリッジを並列に追加設置することもできる。このように構成される場合、様々なサイズの船の需要に合うようにして、適切な数のカートリッジを設置できるだけでなく、故障時、モジュール別の交替が可能であるため、維持管理面でも効果的といえる。
【００４７】
溶解タンク９１は、ＮａＤＣＣ水溶液が流入するように、前記ＮａＤＣＣカートリッジ（６０、８０）と溶解タンクの接続配管３０によって接続される。
【００４８】
ここで、溶解タンク９１には、ＮａＤＣＣ水溶液が完全に溶解するように攪拌させる翼部９２を備えた攪拌機９９が設置される。
【００４９】
また、溶解されたＮａＤＣＣ水溶液の伝導度を測定するように伝導度センサ９５を設置できる。
【００５０】
ここで、カートリッジ（６０、８０）と溶解タンク９１は、ＮａＤＣＣの溶解度が８％になるように容量をそれぞれ決定することができる。ＮａＤＣＣの溶解度は２２．７％であるが、溶解時間と完全溶解を考慮すると８％の溶解度で使用することが望ましい。
【００５１】
例えば、溶解タンク９１の容量が５０Ｌであれば、カートリッジ（６０、８０）の容量は、４ｋｇに設計するようにする。また、前記８％溶解度を基準に上下マージンを置き、４％または１２％の溶解度となるように、カートリッジ（６０、８０）と溶解タンク９１の容量を決定することもできる。
【００５２】
ＮａＤＣＣ水溶液が溶解タンク９１に補充された後、攪拌機９９は、約２０分程度稼動される。 ＮａＤＣＣは溶解するほど伝導度が増加し、８％完全溶解時の伝導度は２４ｍＳ/ｃｍ２となるため、前記伝導度センサ９５を使用する場合、完全に溶解するかどうかを把握して攪拌時間を短縮できるようになる。
【００５３】
一方、前記溶解タンク９１には、ＮａＤＣＣ水溶液の水位を測定するようにレベルセンサ９７が設置される。レベルセンサ９７が低水位（Low）状態のときは、自動流入バルブ（５１、７１）および自動排出バルブ（５９、７９）を開放して、カートリッジ（６０、８０）に淡水を供給し、カートリッジ（６０、８０）の中のＮａＤＣＣが淡水により溶解タンク９１に移送される。前記レベルセンサ９７が高水位（High）になるまで淡水を供給し、高水位に到達した後は、自動流入バルブ（５１、７１）及び/または自動排出バルブ（５９、７９）を閉鎖させる。
【００５４】
また、前記溶解タンク９１は、ＮａＤＣＣ溶解液が円滑に流入及び流出するようにエアベント９８を備える。
【００５５】
また、ＮａＤＣＣ水溶液の温度に応じた品質の低下を防止するために、外側に冷却部を設置できる。
【００５６】
一方、流入バルブ（６２、８２）の流入側には自動流入バルブ（５１、７１）がそれぞれ設置され、排出バルブ（６６、８６）の排出側には、それぞれ自動排出バルブ（５９、７９）が設置される。
【００５７】
ここで、流入バルブ（６２、８２）と排出バルブ（６６、８６）は、手動バルブ（Manual Valve）で構成される。本発明の一実施の形態に係る船舶平衡水の処理装置において、流入バルブ（６２、８２）と排出バルブ（６６、８６）は、内蔵されたＮａＤＣＣが外部に漏出することを防止するための手段であり、これを代替するために流入部と排出部に遮断膜（図示せず）を設置することもできる。この遮断膜（図示せず）は、カートリッジが接続配管に結合されるとき破壊されるように構成すれば、本発明の流入バルブとバルブのシール機能を実行することができるようになる。ただし、この場合には、カートリッジをリサイクルできない欠点があるため、バルブで内蔵ＮａＤＣＣを密封することがさらに望ましい。
【００５８】
ドージング（dosing）ポンプ１０１は、ＮａＤＣＣが溶解した酸化剤溶液９３が酸化剤投入配管４０を介してメイン配管１０に合流するように、制御バルブ１０３と溶解タンク９１との間に設置され、酸化剤溶液９３を定められた量に制御して注入する機能を実行する。
【００５９】
制御部１１０は、各種センサからの信号の入力を受け、ポンプを動作させ、また、バルブを開閉する機能を実行する。
【００６０】
図１に示すように、レベルセンサ９７から溶解タンク９１の水位に関する信号を受信し、自動流入バルブ（５１、７１）と自動排出バルブ（５９、７９）を開放または閉鎖させる制御信号を送信することができる。
【００６１】
また、制御部１１０は、ＴＲＯセンサ１７から船舶平衡水のＴＲＯ濃度値を受信し、酸化剤９１の投入量を決定した後、ドージングポンプ１０１の回転速度を調節したり、制御バルブ１０３の開閉程度を調節したり、前記ドージングポンプ１０１と制御バルブを同時に制御して酸化剤９１の投入量を決定する制御信号を送信することができる。
【００６２】
また、制御部１１０は、溶解タンク９１内のＮａＤＣＣ水溶液の伝導度の情報を受信し、その伝導度の情報から、完全に溶解したかどうかを判断した後、完全に溶解がされた場合は、攪拌機９９の動作を停止させる制御信号を送信する。これにより、不必要な攪拌動作を防止することができ、最適な時間で攪拌動作を行うことができるようになる。
【００６３】
次は、前述したように、本発明の動作が行われる過程を注意深く見ることにする。
【００６４】
まず、粉末ＮａＤＣＣが内蔵されたカートリッジ（６０、８０）を船舶平衡水の処理装置に装着する。装着される前には流入バルブ（６２、８２）と排出バルブ（６６、８６）が閉鎖された状態で移動され、装着された後は、手動で流入バルブ（６２、８２）と排出バルブ（６６、８６）を開放した状態を維持する。
【００６５】
ＮａＤＣＣカートリッジ（６０、８０）が装着された後、吸引ポンプ１３が稼動すれば、シーチェスト（sea chest）を介して海水が船の内部に流入され、メイン配管１０に沿って船舶平衡水タンク１２０に移動される。
【００６６】
酸化剤を投入するために、淡水がカートリッジ（６０、８０）に供給されて溶解タンク９１にＮａＤＣＣ水溶液が流入する。この時、淡水とＮａＤＣＣ水溶液を移動させるように自動流入バルブ（５１、７１）と自動排出バルブ（５９、７９）が開放される。
【００６７】
以後、溶解タンク９１のＮａＤＣＣ水溶液が完全に溶解された後、酸化剤投入配管４０を介してメイン配管１０に合流して酸化剤が投入される。
【００６８】
次に、酸化剤が流入した船舶平衡水のＴＲＯ濃度をＴＲＯセンサ１７で測定し、測定されたＴＲＯ濃度情報が制御部１１０に伝達される。
【００６９】
制御部１１０においては、所定のＴＲＯ濃度レベルを満足させるためにドージング（dosing）ポンプ及び/または制御バルブ１０３をコントロールしてＮａＤＣＣ水溶液の量を調節する。また、溶解タンク１９の水位状態に応じて自動的流入バルブ（５１、７１）と自動排出バルブ（５９、７９）を開閉させる制御を行う。つまり、低水位状態では、自動流入バルブ（５１、７１）と自動排出バルブ（５９、７９）を開放してＮａＤＣＣ水溶液を溶解タンク９１に補充し、高水位の状態では、自動流入バルブ（５１、７１）と自動排出バルブ（５９、７９）を閉鎖してＮａＤＣＣ水溶液の流入を停止する。
【００７０】
このような動作により、所定のＴＲＯ濃度を有する船舶平衡水が船舶平衡水タンク１２０に流入されて、船舶平衡水内の微生物は殺菌される。
【００７１】
本発明の一実施の形態に係るＮａＤＣＣを用いた船舶平衡水の処理装置は、発明の名称では船舶平衡水を処理することに限定しているが、家庭用ミネラルウォーター機や上水道処理施設、下水/廃水処理施設など、様々な水処理分野で水中生物の殺菌を目的とする殺菌処理装置に適用できる。
【００７２】
以上の説明は、本発明の技術思想を例示的に説明したに過ぎないものであり、本発明が属する技術分野の通常の知識を有する者であれば、本発明の本質的な特性から逸脱しない範囲内で多様な修正、変更、及び置換が可能である。したがって、本発明の開示された実施の形態及び添付された図面は、本発明の技術思想を限定するためのものではなく説明するためのものであり、このような実施の形態及び添付された図面によって本発明の技術思想の範囲は限定されない。本発明の保護範囲は、以下の請求の範囲によって解釈されるべきであり、その同等の範囲内にあるすべての技術思想は、本発明の権利範囲に含まれると解釈されるべきものである。
【符号の説明】
【００７３】
１０：メイン配管
１１：フィルタ
１３：吸引ポンプ
１４：流量計
１７：ＴＲＯセンサ
５１、７１：自動流入バルブ
５９、７９：自動排出バルブ
６０、８０：カートリッジ
６２、８２：流入バルブ
６６、８６：排出バルブ
９１：溶解タンク
１２０：船舶平衡水タンク
【図１】
2016221510.tif 000003
【図２】
2016221510.tif 000004